(57)【要約】【課題】重ね式包装容器において、保管及び輸送時の設置スペースを減少でき、かつ、コンパクト化して廃棄できるようにする。【解決手段】複数の容器１，２，３を積み重ねるように構成した重ね式包装容器であって、各容器は筒状胴部４０，５０，６０の下端部を底蓋部４１，５１，６１で閉塞し、上端を開口した本体４，５，６と、各本体の上端開口部を着脱自在に閉塞する上蓋部７，８，９とを備える。各容器の本体は、下位側に位置する容器の本体内に収容できる大きさに形成する。各容器は、本体の下端部を下位側の容器の上蓋部に設けた嵌合凹部に嵌合して積み重ねるように構成する。【選択図】図3
0003171520.tif 000002
【実用新案登録請求の範囲】
【請求項１】
複数の容器を順に積み重ねるように構成した重ね式包装容器であって、
前記各容器は、筒状胴部の下端部側を底蓋部で閉塞し、上端を開口した本体と、前記本体の上端開口部を着脱自在に閉塞する上蓋部とを備え、
前記各容器の前記本体は、下位側に位置する前記容器の本体内に収容できる大きさに形成され、
前記各容器中、最上位の容器以外の前記各上蓋部は、当該上蓋部の上面に、上位側に位置する前記容器の本体の下端部を嵌脱自在に適合して嵌合する所望深さの嵌合凹部を有し、
前記各容器は、前記本体の下端部を下位側の前記容器の上蓋部の前記嵌合凹部に嵌合して積み重ねるように構成されている
ことを特徴とする、重ね式包装容器。
【請求項２】
前記各容器の前記上蓋部は、前記上蓋部の下面に形成され、前記本体の上端開口部内に係脱自在に係合する係合凸部を有していることを特徴とする、請求項１に記載の重ね式包装容器。
【請求項３】
前記各容器は、前記本体内に取出し可能に設けた中仕切部を備え、前記中仕切部は分解可能に形成されていることを特徴とする、請求項１又は２に記載の重ね式包装容器。
【請求項４】
前記各容器の前記本体の前記胴部は、多角形断面の筒状に形成されていることを特徴とする、請求項１に記載の重ね式包装容器。
【請求項５】
前記各容器の前記本体の前記胴部は、円形断面の筒状に形成されていることを特徴とする、請求項１に記載の重ね式包装容器。
【請求項６】
前記各容器の前記本体の前記胴部は略楕円形断面の筒状に形成されていることを特徴とする、請求項１に記載の重ね式包装容器。
【考案の詳細な説明】
【技術分野】
【０００１】
本考案は、複数の容器を積み重ねるように構成した重ね式包装容器に関する。さらに詳しくは、主に各種弁当、その他の各種食品を収容する重ね式包装容器に関する。
【背景技術】
【０００２】
従来、複数の容器を積み重ねるように構成した重ね式容器として、例えば特許文献１に記載の発泡樹脂製の重箱（以下、「従来容器」という）が提案されている。この従来容器は、各容器を外箱と内箱とで形成すると共に内箱の上端を外箱の上端から突出させ、上位の容器（箱）の外箱の下端を下位の容器（箱）の突出上端に嵌合して積み重ねるように構成したものである。
【０００３】
しかし、従来容器は、複数の各容器（箱）を同一大きさに形成されているため、次のような問題を有している。（１）保管する際のスペース、及び輸送する際のスペースが大になる。（２）使用後、そのままの状態で捨てるようになっているため、ゴミの容積が大になり、収集袋等がすぐに満ぱいになる等、ゴミ収集作業上において効率性が悪い問題を有している。
【先行技術文献】
【特許文献】
【０００４】
【特許文献１】実用新案登録第３００８１５１号公報
【考案の概要】
【考案が解決しようとする課題】
【０００５】
本考案は上記したような実情に鑑みてなされたもので、保管及び輸送する際等のスペースを減少でき、かつ、容積をコンパクト化して廃棄できる重ね式包装容器を提供することを目的とするものである。
【課題を解決するための手段】
【０００６】
上記目的を達成するため、本考案のうち１つの考案（第１の考案）は、複数の容器を順に積み重ねるように構成した重ね式包装容器であって、
前記各容器は、筒状胴部の下端部側を底蓋部で閉塞し、上端を開口した本体と、前記本体の上端開口部を着脱自在に閉塞する上蓋部とを備え、
前記各容器の前記本体は、下位側に位置する前記容器の本体内に収容できる大きさに形成され、
前記各容器中、最上位の容器以外の前記各上蓋部は、当該上蓋部の上面に、上位側に位置する前記容器の本体の下端部を嵌脱自在に適合して嵌合する所望深さの嵌合凹部を有し、
前記各容器は、前記本体の下端部を下位側の前記容器の上蓋部の前記嵌合凹部に嵌合して積み重ねるように構成したことを特徴とする。
【０００７】
上記のように構成すると、各容器の本体は、下位側に位置する容器の本体内に収容できるので、容器全体としての容積をコンパクト化することができる。したがって、保管及び輸送や配送する際のスペースを小にすることができる。また、容器全体としての容積をコンパクト化して廃棄することができる。
【０００８】
本考案の他の１つの考案（第２の考案）は、第１の考案の重ね式包装容器において、前記各容器の前記上蓋部は、前記上蓋部の下面に形成され、前記本体の上端開口部内に係脱自在に係合する係合凸部を有していることを特徴とする。
【０００９】
本考案のさらに他の１つの考案（第３の考案）は第１及び第２の考案の重ね式包装容器において、前記各容器は、前記本体内に取出し可能に設けた中仕切部を備え、前記中仕切部は分解可能に形成されていることを特徴とする。
【００１０】
本考案において、前記各容器の前記本体の前記胴部は、四角形、六角形、その他多角形断面の筒状に形成することができる。
【００１１】
本考案において、前記各容器の前記本体の前記胴部は、円形断面の筒状に形成することができる。
【００１２】
本考案において、前記各容器の前記本体の前記胴部は、略楕円形断面の筒状に形成することができる。
【考案の効果】
【００１３】
本考案によれば次のような作用効果を奏する。
（１）前記各容器の前記本体は、下位側の前記容器の本体内に収容できるので、容積をコンパクト化することができる。したがって、保管及び輸送等をする際のスペースを小にすることができる。
（２）上記（１）により、使用後、容器全体としての容積をコンパクト化して廃棄処理することができる。
（３）各容器は、本体の下端部を下位側の容器の上蓋部の嵌合凹部に嵌合して積み重ねるように構成されているので、安定して積み重ねることができる。
（４）各容器の本体の容積は大小の差を設けて形成されているので、例えば弁当用として採用する場合には、最下位（容積が一番大きい）の容器は親用、上位側の容器は子供用等に区分して使用することができる。
（５）積み重ねた状態における外観上の美的感覚が優れているので商品価値を向上する。
【図面の簡単な説明】
【００１４】
【図１】本考案の重ね式包装容器の一実施形態の構成を概略的に示す側面図である。
【図２】図１の前記包装容器の構成を概略的に示す断面図であって、同図（ａ）は全体構成の縦断面図、同図（ｂ）は同図（ａ）の仮想線Ａで示す部分を拡大して示す断面図、同図（ｃ）は同図（ａ）の仮想線Ｂの部分を拡大して示す断面図である。
【図３】前記包装容器の各本体及び各上蓋部を分離した状態の構成を概略的に示す縦断面図である。
【図４】前記包装容器の最下位の容器の構成を概略的に示す図であって、同図（ａ）は上蓋部の斜視図、同図（ｂ）は本体の斜視図である。
【図５】図４（ａ）に示す前記上蓋部を底部側から見て、その構成を概略的に示す斜視図である。
【図６】図４（ｂ）に示す本体内に設けた中仕切部の構成を概略的に示す図であって、同図（ａ）は斜視図、同図（ｂ）は分解斜視図である。
【図７】前記包装容器の各容器の各本体を下位側の本体内に収容すると共に各上蓋部を重合し、前記包装容器全体としての容積をコンパクト化した状態を示す説明図である。
【図８】本考案の他の実施形態の重ね式包装容器の構成を概略的に示す図であって、同図（ａ）は側面図、同図（ｂ）は平面図である。
【図９】本考案のさらに他の実施形態の重ね式包装容器の構成を概略的に示す図であって、同図（ａ）は側面図、同図（ｂ）は平面図である。
【考案を実施するための形態】
【００１５】
以下、図面を参照して本考案の重ね式包装容器の実施形態の一例について説明する。
【００１６】
図１ないし図７は本考案の一実施形態（実施形態１）を示す。これらの図１ないし図７に示すように、実施形態１の重ね式包装容器１００は複数の容器１，２，３を順に積み重ねるように構成されている。
【００１７】
本実施形態１では最下位の容器１（第１の容器）、中間部の容器２（第２の容器）、及び最上位の容器３（第３の容器）の３個の容器を順に積み重ねるように構成されている。前記容器の数量は所望に応じて任意に増減できる。例えば、２個ないし５個程度を挙げることができる。この点については後述する各実施形態においても同様である。
【００１８】
各容器１，２，３は本体４，５，６と、上蓋部７，８，９とを備える。即ち、最下位の容器１（第１の容器）は、筒状胴部４０の下端部側を底蓋部４１で閉塞し、上端を開口（開口部４２）した本体４と、この本体４の上端開口部４２を着脱自在に閉塞する上蓋部７とを備える。
中間部の容器２（第２の容器）は、第１の容器１と同様に、筒状胴部５０の下端部側を底蓋部５１で閉塞し、上端を開口（開口部５２）した本体５と、この本体５の上端開口部５２を着脱自在に閉塞する上蓋部８とを備える。
最上位の容器３（第３の容器）も上記と同様に、筒状胴部６０の下端部側を底蓋部６１で閉塞し、上端を開口（開口部６２）した本体６と、この本体６の上端開口部６２を着脱自在に閉塞する上蓋部９とを備える。
【００１９】
本実施形態１の各本体４，５，６の胴部４０，５０，６０及び底蓋部４１，５１，６１は、発泡スチロールその他の発泡樹脂、経木、単板（木）、ボール紙等の厚紙、プラスチック、その他の素材（板材）で構成されている。各本体４，５，６の胴部４０，５０，６０は四角形断面（図示では略正方形）の筒状に形成されている。各本体は底蓋部を上げ底形に形成されている。即ち、本実施形態では、各胴部４０，５０，６０の内側面における下端近くに沿って底蓋部４１，５１，６１の周縁部を係入する係合溝４３，５３，６３を施し、前記各溝に底蓋部の周縁部を係合して底蓋部を胴部の下端部に取付けるように構成してある。
なお、この場合において、各底蓋部４１，５１，６１を各胴部４０，５０，６０の下端に接着する構成を採用してもよい。上述した点については、後述する各実施形態においても同様である。
【００２０】
また、各本体の胴部４０，５０，６０の外側面には、化粧紙を貼着し、又はプラスチックフィルムをラミネートし、或いは色彩を施す等の構成を採用してもよい。この点については後述する各実施形態においても同様である。
【００２１】
前記各本体４，５，６の各筒状胴部４０，５０，６０を構成する板材の肉厚は特に限定するものではなく、適当に決定できるものであるが、例えば約２．０ｍｍ〜約５．０ｍｍ程度の範囲を挙げることができる。但し、上述したように上記範囲に限定されるものではないが、胴部の強度や生産コスト等を考慮して適当に決定する。また、各底蓋部４１，５１，６１を構成する板材の肉厚も特に限定するものではなく、適当に決定できるものであるが、例えば約１ｍｍ〜約３ｍｍ程度の範囲を挙げることができる。但し、上述したように上記範囲に限定されるものではないが、底蓋部の強度や生産コスト等を考慮して適当に決定する。
【００２２】
前記各容器１，２，３の本体は、下位側に位置する容器の本体内に収容できる大きさに形成されている。即ち、第２の容器２の本体５０は、第１の容器１の本体４０内に、また、第３の容器３の本体６０は第２の容器２の本体５０内に収容できる大きさに形成されている。
【００２３】
各容器１，２，３の大きさは、特に限定するものではなく、用途等に応じて任意に決定できる。本実施形態では、第１の容器１の本体４は、横巾（左右巾）：約１４ｃｍ〜約１６ｃｍ、縦巾（前後巾）：約１４ｃｍ〜約１６ｃｍ、高さ：約４．５ｃｍ〜約５．５ｃｍ程度に形成されている。
第２の容器２の本体５は、横巾（左右巾）：約１２ｃｍ〜約１４ｃｍ、縦巾（前後巾）：約１２ｃｍ〜約１４ｃｍ、高さ：約４．５ｃｍ〜約５．５ｃｍ程度に形成されている。
大３の容器３の本体６は、横巾（左右巾）：約１０ｃｍ〜約１２ｃｍ、縦巾（前後巾）：約１０ｃｍ〜約１２ｃｍ、高さ：約４．５ｃｍ〜約５．５ｃｍ程度に形成されている。
上記各容器の本体の大きさ（寸法）は、本体の外形の寸法を示す。なお、上記大きさは一例として挙げたもので、上述したように上記範囲内に限定されるものではない。各容器の大きさについては後述する各実施形態においても同様である。
【００２４】
本実施形態の各容器１，２，３は、各本体４，５，６内に取出し可能に設けた分解可能の組立て式の中仕切部４４，５４，６４を備える。本実施形態の各中仕切部は、２枚の仕切板４４ａ，４４ｂ、５４ａ，５４ｂ、６４ａ，６４ｂを略Ｔ字形、かつ、分離可能に係着（連結）して構成されている。一方の各仕切板４４ａ，５４ａ，６４ａは、各胴部４０，５０，６０の対向する左右壁部又は前後壁部の内側面間の長さと対応する長さに形成されていると共に他方の各仕切板４４ｂ，５４ｂ，６４ｂは前記一方の仕切板の略半分程度の長さに形成されている。
【００２５】
前記各中仕切部の一方及び他方の両仕切板の巾（高さ）は、各本体４，５，６内の高さ（底蓋部から胴部の上端までの寸法）より幾分短尺に形成されている。前記各仕切板４４ａ，４４ｂ、５４ａ，５４ｂ、６４ａ，６４ｂは、所望の肉厚の発泡樹脂、経木、単板（木）、厚紙、プラスチック、その他の素材（板材）で構成されている。前記各仕切板の肉厚は、例えば約２．０ｍｍ〜約５．０ｍｍ程度に形成できる。
【００２６】
前記一方の各仕切板の略中央部下側半分には、他方の仕切板を係入する係合切欠溝４５が板材の巾方向に設けてある。また、他方の仕切板の一端の下側半分には、前記係合切欠溝４５と対応する係合片４６が設けてある。各中仕切部４４，５４，６４は、図４（ｂ）及び図６に示すように、係合片４６を係合切欠溝４５に係脱可能に係合して係着し、構成されている。各中仕切部は両仕切板の前記係合を解除することにより分解される。なお、各中仕切部４４，５４，６４の係合切欠溝４５及び係合片４６については、容器１の本体４内に設ける中仕切部４４についてのみ開示し、その他の中仕切部５４，６４については同一構成であるため、図示を省略してある。
【００２７】
各中仕切部４４，５４，６４は、対応する本体４，５，６内に取出し可能に配置して設けてある。これにより、各本体４，５，６内は、３つの収容部Ｘ，Ｙ，Ｚに仕切られている。これにより、各種収容物、例えば各種弁当の場合には、収容部Ｘは米飯用、収容部Ｙ及びＺは惣菜用等に区分けして収容する（詰める）ことができるように構成される。
【００２８】
第１の容器１（最下位の容器）は、本体４の上端開口部４２を上蓋部７で着脱自在に閉塞（閉蓋）される。第２の容器２（中間部の容器）は、本体５の上端開口部５２を上蓋部８で着脱自在に閉塞（閉蓋）される。第３の容器３（最上位の容器）は、本体６の上端開口部６２を上蓋部９で着脱自在に閉塞（閉蓋）される。
【００２９】
前記各上蓋部７，８，９は、発泡スチロールその他の発泡樹脂、経木、単板（木）、ボール等の厚紙、プラスチック、その他の任意の素材（板材）で構成されている。
【００３０】
最上位の容器以外の各容器の各上蓋部７，８は、当該上蓋部の上面に、上位側に位置する容器の本体の下端部を嵌脱自在に適合して嵌合する所望深さの嵌合凹部を有する。
即ち、第１の容器１（最下位の容器）の上蓋部７は、第２の容器２（中間部の容器）の本体５の下端部を嵌脱自在に適合して嵌合する所望深さの嵌合凹部７０を有する。また、第２の容器２（中間部の容器）の上蓋部８は、第３の容器３（最上位の容器）本体６の下端部を嵌脱自在に適合して嵌合する所望深さの嵌合凹部８０を有する。第３の容器３（最上位の容器）の上蓋部９は、上記のような嵌合凹部を有していない。
【００３１】
本実施形態の各容器１，２，３の上蓋部７，８，９は、各上蓋部の下面に形成され、対応する本体４，５，６の上端開口部４２，５２，６２内にそれぞれ係脱自在に適合して係合する係合凸部７１，８１，９１を有している。
【００３２】
本実施形態の第１の容器１の上蓋部７は三枚の板材７０ａ，７０ｂ，７０ｃを上下に互に重合接着して構成されている。前記板材中、最下部の板材７０ｂは本体４の上端開口部４２の内壁面と適合して係合する大きさ、形状に形成され、前記板材７０ｂで前記係合凸部７１が構成されている。また、前記板材中、最上部の板材７０ｃは、第２の容器２の本体５の下端部を嵌脱自在に適合して嵌合する大きさ、形状の枠形状の板材で形成され、この枠形状の板材で嵌合凹部７０が構成されている。これにより、前記上蓋部７は、係合凸部７１を本体４の前記開口部４２に係脱自在に係合して閉蓋し、また、本体５の下端部を嵌脱自在に嵌合して第２の容器２を上蓋部７上に載置して積み重ねるように構成されている。
【００３３】
また、本実施形態の第２の容器２の上蓋部８は、前記上蓋部７と同様に、三枚の板材８０ａ，８０ｂ，８０ｃを上下に互に重合接着して構成されている。前記板材中、最下部の板材８０ｂは本体５の上端開口部５２の内壁面と適合して係合する大きさ、形状に形成され、前記板材８０ｂで前記係合凸部８１が構成されている。
また、前記板材中、最上部の板材８０ｃは、第３の容器３の本体６の下端部を嵌脱自在に適合して嵌合する大きさ、形状の枠形状の板材で形成され、この枠形状の板材で嵌合凹部７０が構成されている。
これにより、前記上蓋部８は、係合凸部８１を本体５の上端開口部５２に係脱自在に係合して閉蓋し、また、本体６の下端部を嵌脱自在に嵌合して第３の容器２を上蓋部８上に載置して積み重ねるように構成されている。
【００３４】
本実施形態の第３の容器３の上蓋部９は、二枚の板材９０ａ，９０ｂを上下に互に重合接着して構成されている。前記板材中、下部側の板材９０ｂは本体６の上端開口部６２の内壁面と適合して係合する大きさ、形状に形成され、前記板材９０ｂで前記係合凸部９１が構成されている。
【００３５】
本実施形態の上蓋部７及び８は、三枚の板材を重合接着して構成してあるが、上蓋部７，８はそれぞれ一枚の板状部材で形成し、この板状部材に嵌合凹部７０，８０、及び係合凸部７１，８１を設ける構成を採用してもよい。この点については、後述する各実施形態においても同様である。
【００３６】
また、上蓋部９も一枚の板状部材で形成し、この板状部材に係合凸部９１を設ける構成を採用してもよい。この点については、後述する各実施形態においても同様である。
【００３７】
また、各上蓋部７，８，９の外側面（上面側）には、化粧紙を貼着し、又はプラスチックフィルムをラミネートし、或いは色彩を施す等の構成を採用してもよい。この点については、後述する各実施形態においても同様である。
【００３８】
本実施形態１の重ね式包装容器は上記のように構成したもので、各種弁当、その他の各種食品等の包装用として採用される。そして、本考案の前記包装容器は、各容器１，２，３の本体内に各種弁当、その他の各種食品等を収容して上蓋部７，８，９で閉蓋し、第１の容器１上に第２の容器を載置すると共に第２の容器上に第３の容器を載置して各容器を順に積み重ね、この状態で販売等、流通させるように構成してある。
【００３９】
そして、使用後、これを廃棄する際には、図７に示すように、各本体内の中仕切部４４，５４，６４を各本体内から取出して分解した後、これを元の容器内に入れると共に、本体４内に本体５を収容すると共に本体５内に本体６を収容し、この状態で所定部に捨てるものである。これにより、容器全体としての容積を大巾にコンパクト化することができる。
【００４０】
（実施形態１の効果）
実施形態１によれば次のような作用効果を奏する。
（１）各容器の本体は、下位側の容器の本体内に収容できるので、各容器の容積の和に比べて容器全体としての容積を大巾に少量化することができる。したがって、空の状態（食品物を入れる前の状態）で保管及び輸送等する際のスペースを小にすることができる。
（２）上記（１）により、使用後、容器全体としての容積をコンパクト化して廃棄処理することができる。
（３）上蓋部は係合凸部を本体の上端開口部内に係合して閉蓋するので、上蓋部はズレ動くことなく、安定して確実に閉蓋することができる。
（４）各容器は、本体の下端部を下位側の容器の上蓋部の嵌合凹部に嵌合して積み重ねるので、整然かつ安定して積み重ねることができる。
（５）各容器の本体の容積は大小の差を設けて形成されているので、例えば弁当用として採用する場合等においては、最下位の第１の容器は親用、中間部及び最上位の第２及び第３の容器は子供用等に区分けし、これを組み合わせて使用することができる。
（６）各容器の本体内は、中仕切部で仕切られているので、例えば、米飯用と惣菜用等に区分けして収容する（詰める）ことができる。
（７）積み重ねた状態における外観上の美的感覚が優れているので商品価値を向上する。
【００４１】
図８は、本考案の他の実施形態（実施形態２）の重ね式包装容器を示す。なお、実施形態２において、実施形態１で既に説明した構成と共通する構成部等には同一符号を付して説明を省略する。この点については後述する実施形態においても同様である。実施形態２の重ね式包装容器２００は、各容器の本体の構成に特徴がある。
【００４２】
図８に示すように、実施形態２の重ね式包装容器２００は、第１，第２，第３の各容器１Ａ，２Ａ，３Ａの本体４Ａ，４Ａ，６Ａの筒状胴部４０Ａ，５０Ａ，６０Ａを六角形断面の筒状に形成されている。即ち、各本体４Ａ，４Ａ，６Ａは上端を開口した六角筒状に形成されている。他の構成は実施形態１と同様である。
【００４３】
実施形態２の重ね式包装容器は上記のように構成され、実施形態１と同様に使用される。これにより、実施形態１と同様の作用効果を奏する。
【００４４】
図９は、本考案のさらに他の実施形態（実施形態３）の重ね式包装容器を示す。実施形態３の重ね式包装容器３００も各容器の本体の構成に特徴がある。
【００４５】
図９に示すように、実施形態３の重ね式包装容器３００は、第１，第２，第３の各容器１Ｂ，２Ｂ，３Ｂの本体４Ｂ，４Ｂ，６Ｂの筒状胴部４０Ｂ，５０Ｂ，６０Ｂを円形断面の筒状に形成されている。即ち、各本体４Ｂ，４Ｂ，６Ｂは上端を開口した円筒状に形成されている。他の構成は実施形態１と同様である。
【００４６】
実施形態３の重ね式包装容器は上記のように構成され、実施形態１と同様に使用される。これにより、実施形態１と同様の作用効果を奏する。
【００４７】
なお、上記した実施形態では、各容器の本体の筒状胴部を四角形断面、六角形断面、及び円形断面の筒状に形成した例を開示したが、八角形断面その他の多角形断面、或いは略楕円形断面の筒状に形成する構成を採用してもよい。
【００４８】
また、上記した各実施形態は一例として開示したもので、本考案は上記実施形態に限定されるものではなく、実用新案登録請求の範囲に記載の技術思想を越脱しない範囲内において任意に変更可能なものである。
【符号の説明】
【００４９】
１，２，３    容器
４，５，６    本体
７，８，９    上蓋部
４０，５０，６０    筒状胴部
４１，５１，６１    底蓋部
【図１】
0003171520.tif 000003
【図２】
0003171520.tif 000004
【図３】
0003171520.tif 000005
【図４】
0003171520.tif 000006
【図５】
0003171520.tif 000007
【図６】
0003171520.tif 000008
【図７】
0003171520.tif 000009
【図８】
0003171520.tif 000010
【図９】
0003171520.tif 000011